Podtech/llm-jp-corpus-v4-ja_patent huggingface dataset:
【手続補正書】
【提出日】平成21年2月23日(2009.2.23)
【手続補正１】
【補正対象書類名】特許請求の範囲
【補正対象項目名】全文
【補正方法】変更
【補正の内容】
【特許請求の範囲】
【請求項１】
電子メールを受信する受信手段と、
該受信した電子メールに含まれる送信者の情報と予め設定されている情報とを照合する照合手段と、
前記電子メールに含まれる送信者の情報が予め設定されている情報に一致したときに、暗号鍵を生成する暗号鍵生成手段と、
該生成された暗号鍵に基づいて、受信した電子メールを暗号化する暗号化手段と、
暗号化された電子メールを表示する表示手段と、を備えたことを特徴とする通信装置。
【請求項２】
特定の送信者のメールアドレスと電話番号とを関連づけて記憶するデータテーブルを備え、
前記受信した電子メールに含まれるメールアドレスが前記データテーブルに存在するときに、前記暗号鍵生成手段が、送信者の電話番号及び／又は受信者の電話番号から暗号鍵を生成することを特徴とする請求項１に記載された通信装置。
【請求項３】
電子メールを受信する受信ステップと、
該受信した電子メールに含まれる送信者の情報と予め設定されている情報とを照合する照合ステップと、
前記電子メールに含まれる送信者の情報が予め設定されている情報に一致したときに、暗号鍵を生成する暗号鍵生成ステップと、
該生成された暗号鍵に基づいて、受信した電子メールを暗号化する暗号化ステップと、
該暗号化された電子メールを表示する表示ステップと、を備えたことを特徴とする受信メールの表示方法。
【請求項４】
前記暗号鍵生成ステップが、前記受信した電子メールに含まれるメールアドレスが前記特定の送信者のメールアドレスと電話番号とを関連づけて記憶するデータテーブルに存在するときに、送信者の電話番号及び／又は受信者の電話番号から暗号鍵を生成することを特徴とする請求項３に記載された受信メールの表示方法。
【手続補正２】
【補正対象書類名】明細書
【補正対象項目名】発明の名称
【補正方法】変更
【補正の内容】
【発明の名称】通信装置及び受信メールの表示方法
【手続補正３】
【補正対象書類名】明細書
【補正対象項目名】０００１
【補正方法】変更
【補正の内容】
【０００１】
本発明は、メールの受信機能を備えた通信装置に関し、特に、特定の送信者から受信したメールを暗号化して表示する通信装置及び受信メールの表示方法に関する。
【手続補正４】
【補正対象書類名】明細書
【補正対象項目名】００１０
【補正方法】変更
【補正の内容】
【００１０】
請求項１に記載の発明は、電子メールを受信する受信手段と、該受信した電子メールに含まれる送信者の情報と予め設定されている情報とを照合する照合手段と、前記電子メールに含まれる送信者の情報が予め設定されている情報に一致したときに、暗号鍵を生成する暗号鍵生成手段と、該生成された暗号鍵に基づいて、受信した電子メールを暗号化する暗号化手段と、暗号化された電子メールを表示する表示手段と、を備えたことを特徴とする。
【手続補正５】
【補正対象書類名】明細書
【補正対象項目名】００１１
【補正方法】変更
【補正の内容】
【００１１】
請求項３に記載の発明は、電子メールを受信する受信ステップと、該受信した電子メールに含まれる送信者の情報と予め設定されている情報とを照合する照合ステップと、前記電子メールに含まれる送信者の情報が予め設定されている情報に一致したときに、暗号鍵を生成する暗号鍵生成ステップと、該生成された暗号鍵に基づいて、受信した電子メールを暗号化する暗号化ステップと、該暗号化された電子メールを表示する表示ステップと、を備えたことを特徴とする。
【手続補正６】
【補正対象書類名】明細書
【補正対象項目名】００１２
【補正方法】変更
【補正の内容】
【００１２】
請求項１または請求項３に記載の発明によれば、照合手段により、受信手段により受信した電子メールに含まれる送信者の情報と予め設定されている情報とが照合される。そして、暗号鍵生成手段が、電子メールに含まれる送信者の情報が予め設定されている情報に一致したときに、暗号鍵を生成し、受信した電子メールの表示要求があったときに、生成された暗号鍵に基づいて、受信した電子メールを暗号化して、暗号化された電子メールを表示する。
【手続補正７】
【補正対象書類名】明細書
【補正対象項目名】００１３
【補正方法】変更
【補正の内容】
【００１３】
請求項２に記載の発明は、特定の送信者のメールアドレスと電話番号とを関連づけて記憶するデータテーブルを備え、前記受信した電子メールに含まれるメールアドレスが前記データテーブルに存在するときに、前記暗号鍵生成手段が、送信者の電話番号及び／又は受信者の電話番号から暗号鍵を生成することを特徴とする。
【手続補正８】
【補正対象書類名】明細書
【補正対象項目名】００１４
【補正方法】変更
【補正の内容】
【００１４】
請求項４に記載の発明は、前記暗号鍵生成ステップが、前記受信した電子メールに含まれるメールアドレスが前記特定の送信者のメールアドレスと電話番号とを関連づけて記憶するデータテーブルに存在するときに、送信者の電話番号及び／又は受信者の電話番号から暗号鍵を生成することを特徴とする。
【手続補正９】
【補正対象書類名】明細書
【補正対象項目名】００１５
【補正方法】変更
【補正の内容】
【００１５】
請求項２または請求項４に記載の発明によれば、暗号鍵生成手段が、受信した電子メールに含まれるメールアドレスが特定の送信者のメールアドレスと電話番号とを関連づけて記憶するデータテーブルに存在するときに、送信者の電話番号と受信者の電話番号から暗号鍵を生成する。
【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
被照射体に相対する位置に複数の紫外線発光ダイオードを配置するとともに、これら被照射体と発光ダイオードが相対移動可能に設けられた紫外線照射装置において、
前記発光ダイオードは前記相対移動方向に沿うとともに相互に等しい間隔となる縦複数列と、前記相対移動方向に直交するとともに前記縦複数列の相互間隔と同一の相互間隔となる横複数列との各直線上に前記発光ダイオードの中心が位置する状態で、前記縦列及び横列の方向に等間隔を隔てて配置されているとともに、前記縦列及び横列において、同一列で隣り合っている発光ダイオード間に、隣接する別の列の発光ダイオードの中心が位置するように配置されていることを特徴とする紫外線照射装置。
【請求項２】
前記発光ダイオードは、基板に着脱自在に設けられていることを特徴とする請求項１記載の紫外線照射装置。
【請求項３】
前記発光ダイオード数個をユニット化して当該ユニット単位で発光ダイオードが基板に着脱自在に設けられていることを特徴とする請求項１記載の紫外線照射装置。
【請求項４】
前記発光ダイオードは、被照射体の平面積に応じて発光領域が制御可能に設けられていることを特徴とする請求項１，２又は３記載の紫外線照射装置。
【請求項５】
前記被照射体を支持するテーブルに、前記相対移動方向と直交する方向に沿う所定間隔毎に照度センサを配置したことを特徴とする請求項１ないし４の何れかに記載の紫外線照射装置。
【請求項６】
前記発光ダイオードの複数個を一単位としたユニット毎、又は一個毎の照射能力が電流値及び／又は電圧値によって検出されることを特徴とする請求項１ないし４の何れかに記載の紫外線照射装置。
【手続補正２】
【補正対象書類名】明細書
【補正対象項目名】００１０
【補正方法】変更
【補正の内容】
【００１０】
前記目的を達成するため、本発明は、被照射体に相対する位置に複数の紫外線発光ダイオードを配置するとともに、これら被照射体と発光ダイオードが相対移動可能に設けられた紫外線照射装置において、
前記発光ダイオードは前記相対移動方向に沿うとともに相互に等しい間隔となる縦複数列と、前記相対移動方向に直交するとともに前記縦複数列の相互間隔と同一の相互間隔となる横複数列との各直線上に前記発光ダイオードの中心が位置する状態で、前記縦列及び横列の方向に等間隔を隔てて配置されているとともに、前記縦列及び横列において、同一列で隣り合っている発光ダイオード間に、隣接する別の列の発光ダイオードの中心が位置するように配置される、という構成を採っている。
【手続補正３】
【補正対象書類名】明細書
【補正対象項目名】００１４
【補正方法】変更
【補正の内容】
【００１４】
また、本発明は、前記被照射体を支持するテーブルに、前記相対移動方向と直交する方向に沿う所定間隔毎に照度センサを配置することが好ましい。
【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
第１ケース及び第２ケースを有して内部に回路基板が設けられた基板ユニットであって、前記第１ケース側に設けられる複数の第１封止部と、前記第２ケース側に設けられる複数の第２封止部と、その第１封止部と第２封止部とを連結する封止部材とを有し、その封止部材によって、少なくとも一つの前記第１封止部と第２封止部とが連結されている場合に前記回路基板を取り出すときには所定部位を破壊するか或いは所定の部位を切断することを必要とする基板ユニットを備えた遊技機において、
前記基板ユニットから突出した位置で係合する係合部を別個独立して複数個備え、
該各係合部は、爪部とこれを受け止める受部とから構成され、且つ、前記第１ケース又は前記第２ケースの一方側に爪部を、他方側に受部を設け、
更に、前記爪部と受部のうち、少なくとも一方は弾性変形する弾性部に構成し、
前記第１ケースと前記第２ケースとが閉じられる位置で、前記爪部と受部とが前記弾性部の弾性変形を介して係合し、且つ、前記弾性部に対する強制的弾性変形力の付与無しには前記爪部と受部との係合が解除されないように構成してあることを特徴とする遊技機。
【請求項２】
前記係合部の前記爪部と受部が、前記第１ケース及び第２ケースの前記第１封止部と第２封止部とは反対側に設けられ、前記第１封止部と第２封止部とのスライドによる位置合わせの操作方向でもって前記爪部と受部との係合が成されるように構成されていることを特徴とする請求項１に記載の遊技機。
【請求項３】
前記係合部と係合部との間に係合解除規制部が設けられ、前記各係合部の爪部と受部とに対する解除操作を阻害できるように構成されていることを特徴とする請求項１又は請求項２に記載の遊技機。
【請求項４】
前記受部が、実質上角形筒状体に形成されることによって係合解除規制部に構成されていることを特徴とする請求項３に記載の遊技機。
【請求項５】
前記爪部の先端にフックを形成し、且つ、前記受部に、前記フックが係合する開口部を形成してあることを特徴とする請求項１乃至請求項４に記載の遊技機。
【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
第１ケース及び第２ケースを有して内部に回路基板が設けられた基板ユニットであって、前記第１ケース側に設けられる複数の第１封止部と、前記第２ケース側に設けられる複数の第２封止部と、その第１封止部と第２封止部とを連結する封止部材とを有し、その封止部材によって、少なくとも一対の前記第１封止部と第２封止部とが連結されている場合に前記回路基板を取り出すときには、所定部位を破壊するか或いは所定の部位を切断することを必要とする基板ユニットを備えた遊技機において、
前記複数の第１封止部と複数の第２封止部の内の初回使用となる少なくとも一対の第１封止部及び第２封止部を、他の第１封止部及び第２封止部の封止構造とは異なる特別封止構造で構成し、
前記第１封止部と第２封止部とを連結する前記封止部材の内、少なくとも一つを前記特別封止構造に適合する特別封止部材で構成し、
前記特別封止部材によって前記特別封止構造の前記第１封止部と第２封止部とを連結して基板ユニットの封止を行うように構成してあることを特徴とする遊技機。
【請求項２】
初回封止に２対の第１封止部及び第２封止部が使用される場合において、その２対が他の第１封止部及び第２封止部と異なる構造とされることを特徴とする請求項１に記載の遊技機。
【請求項３】
前記初回封止に用いられる封止部材が、弾性を備えた合成樹脂成型の封止ピンで構成され、前記第１封止部及び第２封止部が、該封止ピンを収納して解除不能に係合するように構成されていることを特徴とする請求項１又は請求項２に記載の遊技機。
【請求項４】
前記初回封止に用いられる封止部材が、スプリングを備えた機械要素の封止ピンで構成され、前記第１封止部及び第２封止部が、該封止ピンを収納して解除不能に係合するように構成されていることを特徴とする請求項１又は請求項２に記載の遊技機。
【請求項５】
前記初回封止に用いられる封止部材が、塑性変形可能な部材で構成され、該部材を塑性変形させて前記第１封止部及び第２封止部を解除不能に係合するように構成されていることを特徴とする請求項１又は請求項２に記載の遊技機。
【手続補正書】
【提出日】平成21年6月11日(2009.6.11)
【手続補正１】
【補正対象書類名】特許請求の範囲
【補正対象項目名】全文
【補正方法】変更
【補正の内容】
【特許請求の範囲】
【請求項１】
遊技領域に設けられる第１の始動口と、
前記遊技領域に設けられる入賞装置と、
前記第１の始動口への遊技球の入球を検出する第１の入球検出手段と、
前記第１の入球検出手段により前記第１の始動口への遊技球の入球が検出されることに基づいて、前記入賞装置が開放される特別遊技の実行契機となる大当たりが少なくとも抽選結果に含まれる抽選処理を行う第１の抽選手段と、
前記第１の抽選手段により前記大当たりが当選されることに基づいて前記入賞装置が開放される特別遊技を行う遊技実行手段と、
前記遊技実行手段により開放された前記入賞装置に遊技球が入球されることに基づいて遊技者に賞球を払い出す賞球払出手段と、
前記遊技領域に設けられる第２の始動口と、
前記第２の始動口への遊技球の入球を検出する第２の入球検出手段と、
前記第１の始動口に遊技球が入球されるように動作可能な可動片と、
前記第２の入球検出手段により前記第２の始動口への遊技球の入球が検出されることに基づいて、前記可動片の動作契機となる普通当たり図柄が抽選結果に含まれる抽選処理を行う第２の抽選手段と、
前記第２の抽選手段により前記普通当たり図柄が当選されることに基づいて前記可動片の駆動制御を行う駆動制御手段と、を備える遊技機において、
前記可動片は、前記第１の始動口への遊技球の入球が妨げられるように配設されており、
前記第１の始動口は、前記駆動制御手段による駆動制御に応じた前記可動片の動作によって当該第１の始動口への遊技球の入球が可能となるように設けられており、
前記駆動制御手段による駆動制御に応じた前記可動片の動作によって入球可能とされた前記第１の始動口に遊技球が入球されることに基づいて行われる前記第１の抽選手段による抽選処理の結果には、前記入賞装置が開放される特別遊技の実行契機となる大当たりのみが第１の大当たり及び第２の大当たりとして含まれ、
前記入賞装置は、第１の入賞装置及び第２の入賞装置を備え、
前記遊技実行手段は、
前記第１の抽選手段により前記第１の大当たりが当選されることに基づいて前記第１の入賞装置が開放される前記特別遊技としての第１の特別遊技を実行する第１の遊技実行手段と、
前記第１の遊技実行手段により開放された前記第１の入賞装置内の特別入球口に遊技球が入球されること、及び前記第１の抽選手段により前記第２の大当たりが当選されること、のいずれかの条件が満たされることに基づいて前記第２の入賞装置が開放される前記特別遊技としての第２の特別遊技を実行する第２の遊技実行手段と、を備え、
前記第２の遊技実行手段は、前記第１の特別遊技が実行されるときに前記賞球払出手段により遊技者に払い出される賞球の数よりも多くの賞球が払い出されるように前記第２の特別遊技を実行する
ことを特徴とする遊技機。
【請求項２】
前記第１の抽選手段は、予め定められた数値範囲内で生成される数である第１の乱数と予め定められている第１の当たり判定値とを比較し、この比較結果に基づいて前記第１の大当たり及び第２の大当たりのみが抽選結果に含まれる抽選処理を行うものであり、
前記第２の抽選手段は、予め定められた数値範囲内で生成される数である第２の乱数と予め定められている第２の当たり判定値とを比較し、この比較結果に基づいて前記可動片の動作契機となる普通当たり図柄についての当落にかかる判断処理を行うものである
請求項１に記載の遊技機。
【請求項３】
請求項１または２に記載の遊技機において、
前記可動片の動作契機となる普通当たり図柄についての当落にかかる前記第２の抽選手段による抽選処理の結果に応じた表示演出を所定の表示部にて行う演出制御手段をさらに備え、
前記第２の抽選手段による前記抽選処理の結果には、前記可動片が動作するときの動作時間として各々異なる動作時間を示す動作時間情報がそれぞれ対応付けされた複数種の普通当たり図柄が前記可動片の動作契機となる普通当たり図柄として含まれ、前記駆動制御手段は、前記可動片の駆動制御を行うときは該当する普通当たり図柄の種類に応じた動作時間だけ前記可動片が動作するように前記可動片の駆動制御を行う
ことを特徴とする遊技機。
【手続補正２】
【補正対象書類名】明細書
【補正対象項目名】００１０
【補正方法】変更
【補正の内容】
【００１０】
こうした目的を達成するため、請求項１に記載の発明では、遊技領域に設けられる第１の始動口と、前記遊技領域に設けられる入賞装置と、前記第１の始動口への遊技球の入球を検出する第１の入球検出手段と、前記第１の入球検出手段により前記第１の始動口への遊技球の入球が検出されることに基づいて、前記入賞装置が開放される特別遊技の実行契機となる大当たりが少なくとも抽選結果に含まれる抽選処理を行う第１の抽選手段と、
前記第１の抽選手段により前記大当たりが当選されることに基づいて前記入賞装置が開放される特別遊技を行う遊技実行手段と、前記遊技実行手段により開放された前記入賞装置に遊技球が入球されることに基づいて遊技者に賞球を払い出す賞球払出手段と、前記遊技領域に設けられる第２の始動口と、前記第２の始動口への遊技球の入球を検出する第２の入球検出手段と、前記第１の始動口に遊技球が入球されるように動作可能な可動片と、前記第２の入球検出手段により前記第２の始動口への遊技球の入球が検出されることに基づいて、前記可動片の動作契機となる普通当たり図柄が抽選結果に含まれる抽選処理を行う第２の抽選手段と、前記第２の抽選手段により前記普通当たり図柄が当選されることに基づいて前記可動片の駆動制御を行う駆動制御手段と、を備える遊技機において、前記可動片は、前記第１の始動口への遊技球の入球が妨げられるように配設されており、前記第１の始動口は、前記駆動制御手段による駆動制御に応じた前記可動片の動作によって当該第１の始動口への遊技球の入球が可能となるように設けられており、前記駆動制御手段による駆動制御に応じた前記可動片の動作によって入球可能とされた前記第１の始動口に遊技球が入球されることに基づいて行われる前記第１の抽選手段による抽選処理の結果には、前記入賞装置が開放される特別遊技の実行契機となる大当たりのみが第１の大当たり及び第２の大当たりとして含まれ、前記入賞装置は、第１の入賞装置及び第２の入賞装置を備え、前記遊技実行手段は、前記第１の抽選手段により前記第１の大当たりが当選されることに基づいて前記第１の入賞装置が開放される前記特別遊技としての第１の特別遊技を実行する第１の遊技実行手段と、前記第１の遊技実行手段により開放された前記第１の入賞装置内の特別入球口に遊技球が入球されること、及び前記第１の抽選手段により前記第２の大当たりが当選されること、のいずれかの条件が満たされることに基づいて前記第２の入賞装置が開放される前記特別遊技としての第２の特別遊技を実行する第２の遊技実行手段と、を備え、前記第２の遊技実行手段は、前記第１の特別遊技が実行されるときに前記賞球払出手段により遊技者に払い出される賞球の数よりも多くの賞球が払い出されるように前記第２の特別遊技を実行することを要旨とする。
【手続補正書】
【提出日】平成21年6月11日(2009.6.11)
【手続補正１】
【補正対象書類名】特許請求の範囲
【補正対象項目名】全文
【補正方法】変更
【補正の内容】
【特許請求の範囲】
【請求項１】
遊技領域を特別入球口が設けられる第１の遊技領域とその他の第２の遊技領域とに区画形成する役物と、
前記第２の遊技領域に設けられる第１の始動口と、
前記第２の遊技領域に設けられる第２の始動口と、
前記第１の遊技領域内への遊技球の進入の確率が高くなるように動作可能な第１の可動片と、
前記第１の始動口への遊技球の入球の必要条件となる動作を行う第２の可動片と、
予め定められた数値範囲内で生成される数である乱数が保持される乱数保持手段と、
前記第２の始動口に遊技球が入球されることに基づいて、前記乱数保持手段により保持される乱数に基づいて前記第２の可動片の動作契機となる普通当たり図柄についての当落にかかる抽選処理を行う抽選手段と、
前記抽選手段により前記普通当たり図柄が当選されることに基づいて前記第２の可動片の駆動制御を行うとともに当該駆動制御に応じた前記第２の可動片の動作によって入球可能とされた前記第１の始動口に遊技球がさらに入球されることに基づき、前記第１の可動片の駆動制御を行う駆動制御手段と、
前記駆動制御手段による前記第１の可動片の駆動制御を通じて前記第１の遊技領域内に進入した遊技球が前記特別入球口に受け入れられたとき、遊技者にとって有利な特別遊技を行う特別遊技実行手段と、
前記第２の可動片の動作契機となる普通当たり図柄についての当落にかかる抽選処理の結果に応じた表示演出を所定の表示部にて行う演出制御手段と、を備え、
前記抽選手段による前記抽選処理の結果には、前記第２の可動片が通常の期間において動作するときの動作時間として各々異なる動作時間を示す動作時間情報がそれぞれ対応付けされた複数種の普通当たり図柄が前記第２の可動片の動作契機となる普通当たり図柄として含まれ、前記駆動制御手段は、前記第２の可動片の駆動制御を行うときは該当する普通当たり図柄の種類に応じた動作時間だけ前記第２の可動片が動作するように前記第２の可動片の駆動制御を行う遊技機であって、
前記駆動制御手段は、
予め定められた特定の条件が満たされた後の所定の期間中であるか否かを示す期間情報が記憶される期間情報記憶手段と、
前記第２の可動片の駆動制御を行うにあたり、前記期間情報記憶手段に記憶されている期間情報に基づいて前記所定の期間及び当該期間が経過した後の前記通常の期間のいずれの期間中であるかを少なくとも判断するとともに、前記所定の期間中に前記第２の可動片の駆動制御を行うときは該当する普通当たり図柄の種類に応じた動作時間よりも長い動作時間だけ前記第２の可動片が動作するように前記第２の可動片の駆動制御を行う実行手段と、を備える
ことを特徴とする遊技機。
【請求項２】
前記実行手段は、前記所定の期間中に前記第２の可動片の駆動制御を行うときは該当する普通当たり図柄の種類に関わらず、予め定められている動作時間だけ前記第２の可動片が動作するように前記第２の可動片の駆動制御を行うものである
請求項１に記載の遊技機。
【請求項３】
前記予め定められている動作時間は、前記複数種の普通当たり図柄に各々対応付けされている動作時間情報のうちの最も長い動作時間である
請求項２に記載の遊技機。
【手続補正２】
【補正対象書類名】明細書
【補正対象項目名】０００８
【補正方法】変更
【補正の内容】
【０００８】
こうした目的を達成するため、請求項１に記載の発明では、遊技領域を特別入球口が設けられる第１の遊技領域とその他の第２の遊技領域とに区画形成する役物と、前記第２の遊技領域に設けられる第１の始動口と、前記第２の遊技領域に設けられる第２の始動口と、前記第１の遊技領域内への遊技球の進入の確率が高くなるように動作可能な第１の可動片と、前記第１の始動口への遊技球の入球の必要条件となる動作を行う第２の可動片と、予め定められた数値範囲内で生成される数である乱数が保持される乱数保持手段と、前記第２の始動口に遊技球が入球されることに基づいて、前記乱数保持手段により保持される乱数に基づいて前記第２の可動片の動作契機となる普通当たり図柄についての当落にかかる抽選処理を行う抽選手段と、前記抽選手段により前記普通当たり図柄が当選されることに基づいて前記第２の可動片の駆動制御を行うとともに当該駆動制御に応じた前記第２の可動片の動作によって入球可能とされた前記第１の始動口に遊技球がさらに入球されることに基づき、前記第１の可動片の駆動制御を行う駆動制御手段と、前記駆動制御手段による前記第１の可動片の駆動制御を通じて前記第１の遊技領域内に進入した遊技球が前記特別入球口に受け入れられたとき、遊技者にとって有利な特別遊技を行う特別遊技実行手段と、前記第２の可動片の動作契機となる普通当たり図柄についての当落にかかる抽選処理の結果に応じた表示演出を所定の表示部にて行う演出制御手段と、を備え、前記抽選手段による前記抽選処理の結果には、前記第２の可動片が通常の期間において動作するときの動作時間として各々異なる動作時間を示す動作時間情報がそれぞれ対応付けされた複数種の普通当たり図柄が前記第２の可動片の動作契機となる普通当たり図柄として含まれ、前記駆動制御手段は、前記第２の可動片の駆動制御を行うときは該当する普通当たり図柄の種類に応じた動作時間だけ前記第２の可動片が動作するように前記第２の可動片の駆動制御を行う遊技機であって、前記駆動制御手段は、予め定められた特定の条件が満たされた後の所定の期間中であるか否かを示す期間情報が記憶される期間情報記憶手段と、前記第２の可動片の駆動制御を行うにあたり、前記期間情報記憶手段に記憶されている期間情報に基づいて前記所定の期間及び当該期間が経過した後の前記通常の期間のいずれの期間中であるかを少なくとも判断するとともに、前記所定の期間中に前記第２の可動片の駆動制御を行うときは該当する普通当たり図柄の種類に応じた動作時間よりも長い動作時間だけ前記第２の可動片が動作するように前記第２の可動片の駆動制御を行う実行手段と、を備えることを要旨とする。
【手続補正書】
【提出日】平成21年5月8日(2009.5.8)
【手続補正１】
【補正対象書類名】特許請求の範囲
【補正対象項目名】全文
【補正方法】変更
【補正の内容】
【特許請求の範囲】
【請求項１】
生体内に挿入して、該生体内の異物を吸引するカテーテル組立体であって、
可撓性を有し、内腔が先端に開口した長尺な管状をなす外側カテーテル本体を有する外側カテーテルと、
可撓性を有し、前記外側カテーテル本体内に挿通される長尺な内側線状体と、該内側線状体の先端部に設けられ、弾性を有する頭部とを有する内側構造体とを備え、
前記外側カテーテル内に前記内側構造体を挿通した状態で、前記内側線状体を前記外側カテーテルに対し基端方向に移動操作することにより、前記頭部が前記外側カテーテル本体内で摺動して、前記外側カテーテル本体の先端開口から前記異物を吸引するよう構成されており、
前記内側線状体の外径は、前記頭部の最大外径より小さいことを特徴とするカテーテル組立体。
【請求項２】
前記外側カテーテル内に前記内側構造体を挿通した状態で、前記頭部が前記外側カテーテル本体の先端開口から突出可能である請求項１に記載のカテーテル組立体。
【請求項３】
前記内側線状体には、その長手方向に沿って第１の内腔が形成されており、
前記頭部には、前記第１の内腔と連通し、前記頭部の先端に開口した第２の内腔が形成されている請求項１または２に記載のカテーテル組立体。
【請求項４】
前記第１の内腔および前記第２の内腔は、それぞれ、ガイドワイヤが挿通する挿通路として機能する請求項３に記載のカテーテル組立体。
【請求項５】
前記第２の内腔は、前記ガイドワイヤが挿通した状態で、該ガイドワイヤによって閉塞する請求項４に記載のカテーテル組立体。
【請求項６】
自然状態での前記頭部の最大外径は、前記外側カテーテル本体の内径とほぼ同等またはそれより若干小さい請求項３ないし５のいずれかに記載のカテーテル組立体。
【請求項７】
自然状態での前記頭部の最大外径は、前記外側カテーテル本体の内径より大きい請求項３ないし５のいずれかに記載のカテーテル組立体。
【請求項８】
前記頭部は、前記外側カテーテル本体内を摺動するとき、その外周面が前記外側カテーテル本体の内周面によって押圧されて、前記第２の内腔が狭窄または閉塞する請求項７に記載のカテーテル組立体。
【請求項９】
前記内側構造体は、前記内側線状体の基端部に接合され、前記第１の内腔と連通する筒状体で構成された内側ハブを有する請求項３ないし８のいずれかに記載のカテーテル組立体。
【請求項１０】
前記内側構造体は、前記内側ハブの基端開口に着脱自在に装着されるキャップを有し、前記キャップを前記基端開口に装着した状態で、前記第１の内腔の基端側が閉塞する請求項９に記載のカテーテル組立体。
【請求項１１】
前記頭部は、その外径が先端方向に向かって漸減する部分を有する請求項１ないし１０のいずれかに記載のカテーテル組立体。
【請求項１２】
前記頭部は、その外径が基端方向に向かって漸減する部分を有する請求項１ないし１１のいずれかに記載のカテーテル組立体。
【請求項１３】
前記頭部は、Ｘ線造影性を有する請求項１ないし１２のいずれかに記載のカテーテル組立体。
【請求項１４】
前記外側カテーテル本体は、実質的に透明なものである請求項１ないし１３のいずれかに記載のカテーテル組立体。
【請求項１５】
前記外側カテーテル本体の先端部は、Ｘ線造影性を有する請求項１ないし１４のいずれかに記載のカテーテル組立体。
【請求項１６】
前記外側カテーテル本体の内周面および／または前記頭部の外周面には、これらの面同士間の摩擦を低減する摩擦低減処理が施されている請求項１ないし１５のいずれかに記載のカテーテル組立体。
【請求項１７】
前記外側カテーテル内に前記内側構造体を挿通した状態を維持する状態維持手段をさらに有する請求項１ないし１６のいずれかに記載のカテーテル組立体。
【手続補正書】
【提出日】平成21年6月11日(2009.6.11)
【手続補正１】
【補正対象書類名】特許請求の範囲
【補正対象項目名】全文
【補正方法】変更
【補正の内容】
【特許請求の範囲】
【請求項１】
略直交する第１及び第２の方向にそれぞれ延在する第１の部分と第２の部分とを有する
略Ｌ字形状に形成されてなるキッチンカウンタと、
前記キッチンカウンタのコーナー部の上に設けられるアイレベルキャビネットと、
前記第１の部分と前記第２の部分との接続部において、前記キッチンカウンタの天板が
せり出した延出部と、
前記第１の部分及び前記第２の部分の少なくとも一方に設けられるシンクと、
前記アイレベルキャビネットの前面に位置するコーナー面の奥に設けられ、コーナー面を開口し、調理に使う道具や調味料を収納できる収納部と、
を備え、
前記アイレベルキャビネットの底面は、立位の作業者のバストレベルより下方に位置しており、
前記延出部の前縁と、前記アイレベルキャビネットの前面と、の間の前記キッチンカウンタの上面が調理スペースとなり、 
前記キッチンカウンタの天板と、前記アイレベルキャビネットの底面と、の間には隙間が設けられ、
前記隙間の下方のキッチンカウンタと、前記調理スペースをなすキッチンカウンタとが段差のない連続平面とされ、
前記隙間は、調理仮置きスペースとして利用可能となるように調理中の食材が入った調理器具をスライド動作により出し入れ可能な高さとされていること、を特徴とするシステムキッチン。
【手続補正２】
【補正対象書類名】明細書
【補正対象項目名】０００６
【補正方法】変更
【補正の内容】
【０００６】
本発明の一態様によれば、
略直交する第１及び第２の方向にそれぞれ延在する第１の部分と第２の部分とを有する
略Ｌ字形状に形成されてなるキッチンカウンタと、
前記キッチンカウンタのコーナー部の上に設けられるアイレベルキャビネットと、
前記第１の部分と前記第２の部分との接続部において、前記キッチンカウンタの天板が
せり出した延出部と、
前記第１の部分及び前記第２の部分の少なくとも一方に設けられるシンクと、
前記アイレベルキャビネットの前面に位置するコーナー面の奥に設けられ、コーナー面を開口し、調理に使う道具や調味料を収納できる収納部と、
を備え、
前記アイレベルキャビネットの底面は、立位の作業者のバストレベルより下方に位置しており、
前記延出部の前縁と、前記アイレベルキャビネットの前面と、の間の前記キッチンカウンタの上面が調理スペースとなり、 
前記キッチンカウンタの天板と、前記アイレベルキャビネットの底面と、の間には隙間が設けられ、
前記隙間の下方のキッチンカウンタと、前記調理スペースをなすキッチンカウンタとが段差のない連続平面とされ、
前記隙間は、調理仮置きスペースとして利用可能となるように調理中の食材が入った調理器具をスライド動作により出し入れ可能な高さとされていること、を特徴とするシステムキッチンが提供される。
【手続補正書】
【提出日】平成21年6月11日(2009.6.11)
【手続補正１】
【補正対象書類名】特許請求の範囲
【補正対象項目名】全文
【補正方法】変更
【補正の内容】
【特許請求の範囲】
【請求項１】
略直交する第１及び第２の方向にそれぞれ延在する第１の部分と第２の部分とを有する略Ｌ字形状に形成されてなるキッチンカウンタと、
前記キッチンカウンタのコーナー部の上に設けられるアイレベルキャビネットと、
前記第１の部分と前記第２の部分との接続部において、前記キッチンカウンタの天板がせり出した延出部と、
前記アイレベルキャビネットに設けられ、前記キッチンカウンタの背面に沿って互いに略直角に配設された第１の収納部および第２の収納部と、
前記第１の収納部に収納され前記第１の方向にスライド延出が可能な第１の収納抽斗と、
前記第２の収納部に収納され前記第２の方向にスライド延出が可能な第２の収納抽斗と、
前記アイレベルキャビネットの前面に位置するコーナー面の奥に設けられた第３の収納部と、
を備え、
前記延出部の前縁から前記コーナー面までの寸法が、前記コーナー面から前記キッチンカウンタの背面側の角部までの寸法よりも長いこと、
を特徴とするシステムキッチン。
【請求項２】
前記アイレベルキャビネットが前記キッチンカウンタと離間して配置されることを特徴
とする請求項１記載のシステムキッチン。
【手続補正２】
【補正対象書類名】明細書
【補正対象項目名】０００６
【補正方法】変更
【補正の内容】
【０００６】
本発明の一態様によれば、
略直交する第１及び第２の方向にそれぞれ延在する第１の部分と第２の部分とを有する略Ｌ字形状に形成されてなるキッチンカウンタと、
前記キッチンカウンタのコーナー部の上に設けられるアイレベルキャビネットと、
前記第１の部分と前記第２の部分との接続部において、前記キッチンカウンタの天板がせり出した延出部と、
前記アイレベルキャビネットに設けられ、前記キッチンカウンタの背面に沿って互いに略直角に配設された第１の収納部および第２の収納部と、
前記第１の収納部に収納され前記第１の方向にスライド延出が可能な第１の収納抽斗と、
前記第２の収納部に収納され前記第２の方向にスライド延出が可能な第２の収納抽斗と、
前記アイレベルキャビネットの前面に位置するコーナー面の奥に設けられた第３の収納部と、
を備え、
前記延出部の前縁から前記コーナー面までの寸法が、前記コーナー面から前記キッチンカウンタの背面側の角部までの寸法よりも長いこと、
を特徴とするシステムキッチンが提供される。
【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
生体物質からＤＮＡを抽出するため、サンプル液を前処理チップ内に注入し、溶解液と混ぜ合わせてＤＮＡを露出させ、溶解した前記サンプル液を担体部に通して、ＤＮＡを表面に吸着させ、その後洗浄液を前記担体部に通して表面に残っている前記サンプル液を洗い流し、さらに溶離液を前記担体部に通して吸着しているＤＮＡを溶離し、ＤＮＡを含んだ溶離液を取り出す生体物質の前処理チップシステムにおいて、
前記サンプル液が注入されるサンプル槽と、
前記溶解液が内蔵された溶解液槽と、
前記洗浄液が内蔵された第１洗浄液槽と、
前記洗浄液とは異なる洗浄液が内蔵された第２洗浄液槽と、
前記溶離液が内蔵された溶離液槽と、
前記サンプル槽と前記溶解液槽とに接続され、前記サンプルと前記溶解液が混合される混合流路と、
前記混合流路に接続された担体部と、
前記担体部から保持流路を介して接続された廃液槽と、
前記廃液槽に接続され、前記担体部を通過した溶離液を保持する回収槽と、
前記第１洗浄液槽から前記混合流路と前記担体部との間を接続する第１流路に配置された第１の複数個の抵抗材と、
前記第２洗浄液槽から前記混合流路と前記担体部との間を接続する第２流路に配置された第２の複数個の抵抗材とを有する前処理チップを備え、
前記抵抗材の材質はガラス部材であり、
前記第１及び第２の複数個の抵抗材の各々は、同一の流路抵抗であり、
前記第２の複数個の抵抗材は、前記第１の複数個の抵抗材よりも多く配置され、
圧力源からの圧力により前記溶離液を前記担体部に通液させる生体物質の前処理チップシステム。
【請求項２】
請求項１に記載された生体物質の前処理チップシステムにおいて、
前記溶離液槽から前記混合流路と前記担体部との間に流路抵抗となる複数の抵抗材が配置された生体物質の前処理チップシステム。
【請求項３】
請求項１に記載された生体物質の前処理チップシステムにおいて、
前記溶離液槽は、前記第２流路の前記担体部側から流路抵抗となる複数の抵抗材を介して接続された生体物質の前処理チップシステム。
【請求項４】
請求項１から３の何れかに記載された生体物質の前処理チップシステムにおいて、
前記抵抗材は、ガラスビーズ，グラスウール，ガラス焼結体，多孔質ガラスの何れかである生体物質の前処理チップシステム。
【請求項５】
サンプル液が注入され、溶解液と混ぜ合わせてＤＮＡを露出させ、溶解した前記サンプル液を担体部に通して、ＤＮＡを表面に吸着させ、その後第１及び第２洗浄液を前記担体部に通して表面に残っている前記サンプル液を洗い流し、さらに溶離液を前記担体部に通して吸着しているＤＮＡを溶離し、ＤＮＡを含んだ溶離液を取り出すための生体物質の前処理チップにおいて、
前記サンプル液が注入されるサンプル槽と、
前記溶解液が内蔵された溶解液槽と、
前記洗浄液が内蔵された第１洗浄液槽と、
前記洗浄液とは異なる洗浄液が内蔵された第２洗浄液槽と、
前記溶離液が内蔵された溶離液槽と、
前記サンプル槽と前記溶解液槽とに接続され、前記サンプルと前記溶解液が混合される混合流路と、
前記混合流路に接続された担体部と、
前記担体部から保持流路を介して接続された廃液槽と、
前記廃液槽に接続され、前記担体部を通過した溶離液を保持する回収槽と、
前記第１洗浄液槽から前記混合流路と前記担体部との間を接続する第１流路に配置された第１の複数個の抵抗材と、
前記第２洗浄液槽から前記混合流路と前記担体部との間を接続する第２流路に配置された第２の複数個の抵抗材とを有する前処理チップを備え、
前記抵抗材の材質はガラス部材であり、
前記第１及び第２の複数個の抵抗材の各々は、同一の流路抵抗であり、
前記第２の複数個の抵抗材は、前記第１の複数個の抵抗材よりも多く、
圧力源からの圧力により前記溶離液を前記担体部に通液させる生体物質の前処理チップ。
【請求項６】
請求項５に記載された生体物質の前処理チップにおいて、
前記溶離液槽から前記混合流路と前記担体部との間に流路抵抗となる複数の抵抗材が配置された生体物質の前処理チップ。
【請求項７】
請求項５に記載された生体物質の前処理チップにおいて、
前記溶離液槽は、前記第２流路の前記担体部側から流路抵抗となる複数の抵抗材を介して接続された生体物質の前処理チップ。
【請求項８】
請求項５から７の何れかに記載された生体物質の前処理チップにおいて、
前記抵抗材は、ガラスビーズ，グラスウール，ガラス焼結体，多孔質ガラスの何れかである生体物質の前処理チップ。
【手続補正２】
【補正対象書類名】明細書
【補正対象項目名】０００６
【補正方法】変更
【補正の内容】
【０００６】
上記従来技術の課題を解決するため、本発明は、生体物質からＤＮＡを抽出するため、サンプル液を前処理チップ内に注入し、溶解液と混ぜ合わせてＤＮＡを露出させ、溶解した前記サンプル液を担体部に通して、ＤＮＡを表面に吸着させ、その後洗浄液を前記担体部に通して表面に残っている前記サンプル液を洗い流し、さらに溶離液を前記担体部に通して吸着しているＤＮＡを溶離し、ＤＮＡを含んだ溶離液を取り出す生体物質の前処理チップシステムにおいて、前記サンプル液が注入されるサンプル槽と、前記溶解液が内蔵された溶解液槽と、前記洗浄液が内蔵された第１洗浄液槽と、前記洗浄液とは異なる洗浄液が内蔵された第２洗浄液槽と、前記溶離液が内蔵された溶離液槽と、前記サンプル槽と前記溶解液槽とに接続され、前記サンプルと前記溶解液が混合される混合流路と、前記混合流路に接続された担体部と、前記担体部から保持流路を介して接続された廃液槽と、前記廃液槽に接続され、前記担体部を通過した溶離液を保持する回収槽と、前記第１洗浄液槽から前記混合流路と前記担体部との間を接続する第１流路に配置された第１の複数個の抵抗材と、前記第２洗浄液槽から前記混合流路と前記担体部との間を接続する第２流路に配置された第２の複数個の抵抗材とを有する前処理チップを備え、前記抵抗材の材質はガラス部材であり、前記第１及び第２の複数個の抵抗材の各々は、同一の流路抵抗であり、前記第２の複数個の抵抗材は、前記第１の複数個の抵抗材よりも多く配置され、圧力源からの圧力により前記溶離液を前記担体部に通液させるものである。
【手続補正書】
【提出日】平成21年3月30日(2009.3.30)
【手続補正１】
【補正対象書類名】特許請求の範囲
【補正対象項目名】全文
【補正方法】変更
【補正の内容】
【特許請求の範囲】
【請求項１】
唾液中のヒトヘルペスウイルス７の量を指標として、被験者の疲労度を評価することを特徴とする疲労度評価方法。
【請求項２】
上記ヒトヘルペスウイルス７の量が多ければ、疲労度が高いと評価することを特徴とする請求項１に記載の疲労度評価方法。
【請求項３】
ヒトヘルペスウイルス７量を、ヒトヘルペスウイルス遺伝子の発現量として測定する、請求項２に記載の疲労度評価方法。
【請求項４】
上記ヒトヘルペスウイルス７量が多ければ、被検者が病的疲労の状態であると評価することを特徴とする、請求項１ないし３のいずれか一項に記載の疲労度評価方法。
【請求項５】
上記ヒトヘルペスウイルス７量が多ければ、被験者が日常生活で生じる生理的疲労の蓄積による過労状態にあると評価することを特徴とする請求項1ないし３のいずれか一項に記載の疲労度評価方法。
【請求項６】
（i）  被験者が抗疲労物質の候補である物質を摂取する前に当該被験者の唾液を採取し、唾液中のHHV-７の量を測定する摂取前HHV-７量測定工程と、
（ii）  被験者が抗疲労物質の候補である物質を摂取した後に当該被験者の唾液を採取し、唾液中のHHV-７の量を測定する摂取後HHV-７量測定工程と、
（iii）  （i）の摂取前HHV-７量測定工程、及び（ii）の摂取後HHV-７量測定工程によって得られた、当該抗疲労物質の候補である物質の摂取前後におけるHHV-７量の変化の測定結果に基づき、当該抗疲労物質の候補である物質の摂取前後における唾液中のHHV-７量の変化を算出するウイルス量変化算出工程と、
（iv）  （iii）のウイルス量変化算出工程によって得られた当該抗疲労物質の候補である物質の摂取前後における唾液中のHHV-７量変化に基づき、当該抗疲労物質の候補である物質の生体における抗疲労力を測定する抗疲労力測定工程
とを含む、抗疲労物質の候補である物質の抗疲労効果評価方法。
【請求項７】
（i）  抗疲労物質の候補である物質を摂取した被験者と、抗疲労物質の候補である物質を摂取しなかった被験者からそれぞれ唾液を採取し、それぞれの唾液中のHHV-７の量を測定するHHV-７量測定工程と、
（ii）  （i）のHHV-７量測定工程によって得られた、当該抗疲労物質の候補である物質の摂取の有無によるHHV-７量の変化の測定結果に基づき、当該抗疲労物質の候補である物質の摂取の有無による体液中のHHV-７量の変化を算出するウイルス量変化算出工程と、
（iii）  （ii）のウイルス量変化算出工程によって得られた当該抗疲労物質の候補である物質の摂取の有無による唾液中のHHV-７量変化に基づき、当該抗疲労物質の候補である物質の生体における抗疲労力を測定する抗疲労力測定工程
とを含む、抗疲労物質の候補である物質の抗疲労効果評価方法。
【請求項８】
上記請求項1ないし５のいずれか一項に記載の疲労度評価方法を用いて、抗疲労物質の候補である物質の抗疲労効果を測定することを特徴とする、請求項６または７のいずれか一項に記載の抗疲労効果評価方法。
【請求項９】
抗疲労物質をスクリーニングするための、請求項６ないし８のいずれか一項に記載の抗疲労物質の候補である物質の抗疲労効果評価方法。
【請求項１０】
請求項６ないし９のいずれか一項に記載の抗疲労物質の候補が、生体機能補完物質である抗疲労効果評価方法。
【請求項１１】
唾液中のヒトヘルペスウイルス７の量を指標として、体力低下を評価することを特徴とする疲労度評価方法。
【手続補正書】
【提出日】平成21年6月11日(2009.6.11)
【手続補正１】
【補正対象書類名】特許請求の範囲
【補正対象項目名】全文
【補正方法】変更
【補正の内容】
【特許請求の範囲】
【請求項１】
前面に遊技領域を有する遊技盤と、
前記遊技領域に配設された枠状の装飾フレームと、
前記遊技盤に形成され前記装飾フレームに囲まれた開口部と、
前記装飾フレームの周面に形成され、前記遊技領域の遊技媒体を入賞可能とする入賞口と、
前記開口部の下部後方に配設され、前記入賞口に入賞した遊技媒体を用いて遊技処理を行う特定遊技領域と、
前記装飾フレームの下部から遊技者側に突出して形成され、前記遊技領域を流下する遊技媒体が前記特定遊技領域に進入することを阻止する進入防止部材とを具備し、
前記特定遊技領域は、略水平面上に所定の広がりをもって形成され前記入賞口に入賞した遊技媒体を転動させる転動面を有し、
前記進入防止部材は、前記転動面の延長線上に形成されている
ことを特徴とする遊技機
【請求項２】
前記転動面は、前記入賞口から入賞した遊技媒体を前後方向に転動可能な所定の傾斜を有する
請求項１に記載の遊技機。
【請求項３】
前記開口部の後方に配設され、遊技状態に基づいた演出表示を行う表示手段をさらに備え、
前記特定遊技領域は、前記表示手段の下方に配置されている
請求項１または２に記載の遊技機
【手続補正２】
【補正対象書類名】明細書
【補正対象項目名】０００５
【補正方法】変更
【補正の内容】
【０００５】
請求項１に記載の発明は、前面に遊技領域を有する遊技盤と、前記遊技領域に配設された枠状の装飾フレームと、前記遊技盤に形成され前記装飾フレームに囲まれた開口部と、前記装飾フレームの周面に形成され、前記遊技領域の遊技媒体を入賞可能とする入賞口と、前記開口部の下部後方に配設され、前記入賞口に入賞した遊技媒体を用いて遊技処理を行う特定遊技領域と、前記装飾フレームの下部から遊技者側に突出して形成され、前記遊技領域を流下する遊技媒体が前記特定遊技領域に進入することを阻止する進入防止部材とを具備し、前記特定遊技領域は、略水平面上に所定の広がりをもって形成され前記入賞口に入賞した遊技媒体を転動させる転動面を有し、前記進入防止部材は、前記転動面の延長線上に形成されていることを特徴とする。
請求項２に記載の発明は、請求項１に記載の発明において、前記転動面は、前記入賞口から入賞した遊技媒体を前後方向に転動可能な所定の傾斜を有することを特徴とする。
請求項３に記載の発明は、請求項１または２に記載の遊技機において、前記開口部の後方に配設され、遊技状態に基づいた演出表示を行う表示手段をさらに備え、前記特定遊技領域は、前記表示手段の下方に配置されていることを特徴とする。
【手続補正３】
【補正対象書類名】明細書
【補正対象項目名】０００６
【補正方法】変更
【補正の内容】
【０００６】
手段１：「前面に遊技領域を有する遊技盤と、
前記遊技領域に配設された枠状の装飾フレームと、
前記遊技盤に形成され前記装飾フレームに囲まれた開口部と、
前記装飾フレームの周面に形成され、前記遊技領域の遊技媒体を入賞可能とする入賞口と、
前記開口部の下部後方に配設され、前記入賞口に入賞した遊技媒体を用いて遊技処理を行う特定遊技領域と、
前記装飾フレームの下部から遊技者側に突出して形成され、前記遊技領域を流下する遊技媒体が前記特定遊技領域に進入することを阻止する進入防止部材とを具備する」ことを特徴とする。
ここで、「装飾フレーム」としては、遊技領域の略中央に配設されたセンターフレームを例示することができる。また、「入賞口」は常に開放されていてもよく、可動片等によって開閉制御されるものであってもよい。
【手続補正書】
【提出日】平成21年5月19日(2009.5.19)
【手続補正１】
【補正対象書類名】特許請求の範囲
【補正対象項目名】全文
【補正方法】変更
【補正の内容】
【特許請求の範囲】
【請求項１】
遊技ホール等に設置され遊技に際して各種制御を実施する制御装置を搭載した遊技機を管理対象とし、前記制御装置に、当該制御装置を搭載した遊技機又はその制御装置ごとに個別に付与された識別情報を有する札片を取り付けておくとともに、前記札片の識別情報を情報読み取り装置により読み取り可能とした遊技機の管理システムであって、
前記遊技ホール等への遊技機の出荷前に遊技機ごと又は制御装置ごとに前記識別情報を付与してその識別情報の管理データを作成しておき、前記遊技機の出荷後において、前記情報読み取り装置により読み取った前記札片の識別情報と、前記識別情報の管理データとに基づいて前記遊技機の管理を実施することを特徴とする遊技機の管理システム。
【請求項２】
前記遊技機の出荷先である遊技ホール等以外で前記管理データを保管するデータ保管機関を定める一方、前記データ保管機関と前記遊技ホール等との間に双方向で通信可能な通信手段を設け、
前記遊技ホール等において前記情報読み取り装置により読み取った前記札片の識別情報を、前記通信手段を通じてデータ保管機関に送信するともに、当該データ保管機関において前記札片の識別情報と前記管理データとを照合して認証を行いその認証結果を前記遊技ホール等に返信することを特徴とする請求項１に記載の遊技機の管理システム。
【請求項３】
前記データ保管機関は、前記遊技ホール等から受信した前記札片の識別情報、及び当該識別情報による認証結果を累積的に記憶保持することを特徴とする請求項２に記載の遊技機の管理システム。
【請求項４】
前記データ保管機関は、前記遊技機の出荷前に作成される前記管理データを初期登録データとして保管するとともに、前記制御装置を単体で出荷する場合にその出荷前に交換登録データを作成して当該交換登録データを保管することを特徴とする請求項２又は３に記載の遊技機の管理システム。
【請求項５】
前記データ保管機関は、前記遊技機の納品時の前記認証に際しては前記初期登録データに基づく第１認証を行い、前記制御装置の交換が行われる場合における当該制御装置の納品時の前記認証に際しては前記交換登録データに基づく第２認証を行うことを特徴とする請求項４に記載の遊技機の管理システム。
【請求項６】
前記データ保管機関は、前記第２認証を行う場合に、前記交換登録データにより前記初期登録データを更新することで前記管理データを更新登録することを特徴とする請求項５に記載の遊技機の管理システム。
【請求項７】
前記情報読み取り装置は前記遊技ホール等に設置された各遊技機の設置箇所情報を登録する情報登録手段を備え、読み取った識別情報はその遊技機の設置箇所情報と対応付けられることを特徴とする請求項２乃至６のいずれか１に記載の遊技機の管理システム。
【請求項８】
前記遊技機ごとに前記札片を複数取り付け、その複数の札片ごとの識別情報をすべて対応づけて前記管理データを作成しておくとともに、前記遊技機の出荷後において、前記情報読み取り装置により前記複数の札片の識別情報を読み取って前記遊技機の管理を実施する構成とし、
さらに、前記遊技ホール等では前記データ保管機関に前記識別情報を送信する場合、同一遊技機ごとに分類した状態で前記識別情報を送信することを特徴とする請求項２乃至７のいずれか１に記載の遊技機の管理システム。
【請求項９】
前記複数の札片として、少なくとも前記遊技機の個別の識別情報が付与された札片と、前記制御装置の個別の識別情報が付与された札片とを含むことを特徴とする請求項８に記載の遊技機の管理システム。